(57)【要約】      （修正有）【課題】ネットワーク環境に差がある新旧ネットワーク間に両ネットワークをハイブリッドに接続するハイブリッド変換サーバーを備えることにより安定した通話品質を提供する。【解決手段】第１の端末が接続された第１のIPネットワークと第２の端末が接続された非IP公衆電話網である第２のネットワークを相互に接続した、高速インターネットを擁する前記第１のネットワークから前記第２のネットワークへの国際通話にあたり、ネットワーク環境及び呼制御並びに音声仕様に差がある新旧ネットワーク間を相互接続し、前記第１の端末からのIPによる音声及び呼制御プロトコル、前記第２の端末から音声及び呼制御プロトコルをハイブリッドに変換するハイブリッド変換サーバー及びVoIPゲートウェイを備える。【選択図】図１
2008160234.tif 000002
【特許請求の範囲】
【請求項１】
第１の端末が接続された第１のIPネットワークと第２の端末が接続された非IP公衆電話網である第２のネットワークを相互に接続した、高速インターネットを擁する前記第１のネットワークから前記第２のネットワークへの国際通話にあたり、ネットワーク環境及び呼制御並びに音声仕様に差がある新旧ネットワーク間を相互接続し、前記第１の端末からのIPによる音声及び呼制御プロトコル、前記第２の端末から音声及び呼制御プロトコルをハイブリッドに変換するハイブリッド変換サーバー及びVoIPゲートウェイを備えることを特徴とする国際通話サービスシステム。
【請求項２】
前記ハイブリッド変換サーバーは、高速インターネットを擁する前記第１のネットワークからの発呼リクエストを受信すると高速インターネットに適したプロトコルから非IP網である前記第２のネットワークに適した呼制御プロトコルへ発呼リクエストを変換し、負荷分散制御モジュールで監視された最適状況にあるVoIPゲートウェイを経由して前記第２の端末へ送信する呼制御変換モジュールと、前記第２の端末が呼を受けられる場合に各種モジュールを連携させ前記第１の端末からの音声及び前記第２の端末からの音声を同時に変換し通話を確立するＲＴＰリレーモジュールと、前記第１の端末に対して前記第２の端末が呼を受けられない場合に各種モジュールを連携させ前記第２の端末状態を音声にて返信通知する音声プレゼンスモジュール及びＲＴＰリレーモジュールと、通常時におけるそれらのモジュールの負荷分散を制御する負荷分散制御モジュールと、前記それらのモジュールを相互に自動監視運用するための制御モジュールとを有することを特徴とする請求項１記載の国際通話サービスシステム。
【請求項３】
前記ハイブリッド変換サーバーを構成する各種モジュールは、現地で調達した仕様の異なる複数のハードウェアにプラグインとしてインストール可能にしたことを特徴とする請求項２記載の国際通話サービスシステム。
【請求項４】
前記ハイブリッド変換サーバーを構成する各種モジュールは、それぞれバックアップを複数備え、障害発生時は、前記制御モジュールの制御により、瞬時に稼働台数を減らして縮退運転をするため相互に自動監視運用されたことを特徴とする請求項２又は３記載の国際通話サービスシステム。
【請求項５】
前記第１の端末は、認証ＩＤ、認証パスワード、ユーザー名が設定されたインターネットアダプタに接続されたことを特徴とする請求項１から４のいずれか１つに記載の国際通話サービスシステム。
【請求項６】
前記第１の端末から通話可能な前記第２の端末は、台数を所定数以下に限定したことを特徴とする請求項１から５のいずれか１つに記載の国際通話サービスシステム。
【発明の詳細な説明】
【技術分野】
【０００１】
本発明は、インターネットを利用して国際電話を行なう国際通話サービスシステムに関し、詳しくはネットワーク環境及び呼制御並びに音声仕様に差がある国際間で国際電話を行なう国際通話サービスシステムに関する。
【背景技術】
【０００２】
近年、世界各国において国際化が進み、それに伴い国際電話の利用が年々増加する傾向にあるが、国際電話通信網を用いて国際電話を利用する場合、通話料金が高くつくため、通話料を安く抑えるひとつの手段として、インターネットを利用したインターネット電話システムが提案されている（特許文献１参照）。
【０００３】
【特許文献１】特開２００２−２９１０４６号公報
【発明の開示】
【発明が解決しようとする課題】
【０００４】
しかしながらインターネットを国際電話に利用する場合、各国の事情により通信インフラ整備にバラツキがあるため、広範なサービス提供範囲を確保する事が困難な場合があった。
【０００５】
また、高速インターネットを擁する第１のネットワークから回線速度の遅いインターネットを擁する第２のネットワークへの通話にあたり、音声仕様に差がある新旧ネットワーク間の接続を、各キャリア会社がオリジナルな呼制御で行なっていたため、通話が不通状態となったとき不通状態の理由がどこにあるのかつきとめることができないという問題があった。
【０００６】
本発明は、上記問題に鑑みて、ネットワーク環境に差がある新旧ネットワーク間に両ネットワークをハイブリッドに接続するハイブリッド変換サーバーを備えることにより安定した通話品質を提供することを目的とする。
【課題を解決するための手段】
【０００７】
上記目的を達成するため、請求項１の国際通話サービスシステムは、第１の端末が接続された第１のIPネットワークと第２の端末が接続された非IP公衆電話網である第２のネットワークを相互に接続した、高速インターネットを擁する第１のネットワークから第２のネットワークへの国際通話にあたり、ネットワーク環境及び呼制御並びに音声仕様に差がある新旧ネットワーク間を相互接続し、第１の端末からのIPによる音声及び呼制御プロトコル、第２の端末から音声及び呼制御プロトコルをハイブリッドに変換するハイブリッド変換サーバー及びVoIPゲートウェイを備えることを特徴とするものである。
【０００８】
また、請求項２の国際通話サービスシステムは、請求項１記載の国際通話サービスシステムであって、ハイブリッド変換サーバーは、高速インターネットを擁する第１のネットワークからの発呼リクエストを受信すると高速インターネットに適したプロトコルから非IP網である第２のネットワークに適した呼制御プロトコルへ発呼リクエストを変換し、負荷分散制御モジュールで監視された最適状況にあるVoIPゲートウェイを経由して第２の端末へ送信する呼制御変換モジュールと、第２の端末が呼を受けられる場合に各種モジュールを連携させ第１の端末からの音声及び第２の端末からの音声を同時に変換し通話を確立するＲＴＰリレーモジュールと、第１の端末に対して第２の端末が呼を受けられない場合に各種モジュールを連携させ第２の端末状態を音声にて返信通知する音声プレゼンスモジュール及びＲＴＰリレーモジュールと、通常時におけるそれらのモジュールの負荷分散を制御する負荷分散制御モジュールと、それらのモジュールを相互に自動監視運用するための制御モジュールとを有することを特徴とするものである。
【０００９】
また、請求項３の国際通話サービスシステムは、請求項２記載の国際通話サービスシステムであって、ハイブリッド変換サーバーを構成する各種モジュールは、現地で調達した仕様の異なる複数のハードウェアにプラグインとしてインストール可能にしたことを特徴とするものである。
【００１０】
また、請求項４の国際通話サービスシステムは、請求項２又は３記載の国際通話サービスシステムであって、ハイブリッド変換サーバーを構成する各種モジュールは、それぞれバックアップを複数備え、障害発生時は、制御モジュールの制御により、瞬時に稼働台数を減らして縮退運転をするため相互に自動監視運用されたことを特徴とするものである。
【００１１】
また、請求項５の国際通話サービスシステムは、請求項１から４のいずれか１つに記載の国際通話サービスシステムであって、第１の端末は、認証ＩＤ、認証パスワード、ユーザー名が設定されたインターネットアダプタに接続されたことを特徴とするものである。
【００１２】
また、請求項６の国際通話サービスシステムは、請求項１から５のいずれか１つに記載の国際通話サービスシステムであって、第１の端末から通話可能な第２の端末は、台数を所定数以下に限定したことを特徴とするものである。
【発明の効果】
【００１３】
本発明の国際通話サービスシステムによれば、第１の端末が接続された第１のIPネットワークと第２の端末が接続された非IP公衆電話網である第２のネットワークを相互に接続した、高速インターネットを擁する第１のネットワークから第２のネットワークへの国際通話にあたり、ネットワーク環境及び呼制御並びに音声仕様に差がある新旧ネットワーク間を相互接続し、第１の端末からのIPによる音声及び呼制御プロトコル、第２の端末から音声及び呼制御プロトコルをハイブリッドに変換するハイブリッド変換サーバー及びVoIPゲートウェイを備えることにより安定した通話品質を提供することができる。
【００１４】
また、ハイブリッド変換サーバーを構成する各種モジュールは、現地で調達した仕様の異なる複数のハードウェアにプラグインとしてインストール可能にすることにより仕様の異なるハードウェアを複数柔軟に接続することができる。
【００１５】
また、ハイブリッド変換サーバーを構成する各種モジュールは、それぞれバックアップを複数備え、障害発生時は、制御モジュールの制御により、瞬時に稼働台数を減らして縮退運転をするため相互に自動監視運用することにより障害発生時の対応を迅速に行なうことができる。
【００１６】
また、高速インターネット側の第１の端末は、認証ＩＤ、認証パスワード、ユーザー名が設定されたインターネットアダプタに接続することにより、相手側の電話番号だけで相手につなぐことができる。
【００１７】
また、第１の端末から通話可能な第２の端末は、台数を所定数以下に限定することにより、定額制の通話料金体制を実現することができる。
【発明を実施するための最良の形態】
【００１８】
この発明の一実施形態として、日本からフィリピンへの国際通話サービスを例にして、図１に示すシステム構成図を用いて説明する。図１において、日本側のIPネットワークＪとフィリピン側の非IP公衆電話網であるネットワークＦは日本、フィリピン間のインターネットＮを介して接続される。
【００１９】
日本側のIPネットワークＪは、ブロードバンドインターネット回線Ｂを経由してインターネットＮに接続する利用者Ｕ１、日本国内のＰＳＴＮ網からアクセスポイントを経由してインターネットＮに接続する利用者Ｕ２の２通りがあり、いずれの利用者であっても本発明による国際通話サービスを使用するにあたっては、サービス提供者Ａに対して、ユーザー認証及びユーザー登録が必要である。
【００２０】
利用者Ｕ１の端末Ｔ１は、認証ＩＤ、認証パスワード、ユーザー名が設定されたインターネットアダプタＦＰＡに接続される。
【００２１】
サービス提供者Ａは、ユーザー認証及びユーザー登録並びに日本からフィリピンへの発呼制御をするための日本国内サーバー群ＪＳと日本国内のＰＳＴＮ網からアクセスポイントを経由する端末Ｔ２の利用者Ｕ２のためにVoIPゲートウェイＪＧを備える。
【００２２】
日本国内サーバー群ＪＳは各ユーザーの一般電話、携帯電話からの各種情報を登録するデータベースＪＳ１、各ユーザーの一般電話、携帯電話からの各種情報がデータベースＪＳ１に格納されている情報と合致するか認証を行なう認証サーバーＪＳ２、各ユーザーの一般電話、携帯電話からの発呼リクエストを確認、転送する呼制御サーバーＪＳ３、音声中継を行なうＲＴＰサーバーＪＳ４を有する。
【００２３】
一方、フィリピンでは固定電話よりも携帯電話の普及率が目覚しく、携帯電話を持つことが日本以上に通信手段として定着しているが、フィリピンでは、7,000以上の島からなる国土が原因により国内電話回線を含む通信インフラ整備が遅れているので、携帯電話ネットワークは第２世代(以下、ＧＳＭネットワーク)が主流である。
【００２４】
フィリピン側の非IP公衆電話網であるネットワークＦは、フィリピンＰＳＴＮ網からインターネットＮに接続するＧＳＭ携帯電話Ｔ３の利用者Ｕ３が多く、日本、フィリッピン間の新旧ネットワークをハイブリッドに接続するための設備が必要となった。その設備としてフィリピン側にハイブリッド変換サーバーＦＳを備え、ハイブリッド変換サーバーＦＳはスイッチＳＷ、VoIPゲートウェイＦＧを介してＰＢＸ交換機ＦＸに接続される。
【００２５】
ハイブリッド変換サーバーＦＳは、高速インターネットを擁する日本側の端末Ｔ１、Ｔ２からの発呼リクエストを受信すると高速インターネットに適したプロトコルから非IP網であるフィリピン側のネットワークＦに適した呼制御プロトコルへ発呼リクエストを変換し、負荷分散制御モジュールＦＳ１で監視された最適状況にあるVoIPゲートウェイＦＧを経由してフィリピン側のＧＳＭ携帯電話の端末Ｔ３へ送信する呼制御変換モジュールＦＳ２、フィリピン側のＧＳＭ携帯電話の端末Ｔ３が呼を受けられる場合に各種モジュールを連携させ日本側の端末Ｔ１、Ｔ２からの音声及びフィリピン側のＧＳＭ携帯電話の端末Ｔ３からの音声を同時に変換し通話を確立するＲＴＰリレーモジュールＦＳ３、日本側の端末Ｔ１、Ｔ２に対してフィリピン側のＧＳＭ携帯電話の端末Ｔ３が呼を受けられない場合に各種モジュールを連携させフィリピン側のＧＳＭ携帯電話の端末状態を音声にて返信通知する音声プレゼンスモジュールＦＳ４及びＲＴＰリレーモジュールＦＳ３、通常時におけるそれらのモジュールの負荷分散を制御する負荷分散制御モジュールＦＳ１、それらのモジュールを相互に自動監視運用するための制御モジュールＦＳ５、発呼結果を返信通知する音声プレゼンスを記録するユーザー情報データベースＦＳ６を有する。
【００２６】
なお、フィリピンＰＳＴＮ網内にＧＳＭ携帯電話ユーザーの各種情報を登録するＧＳＭユーザー情報データベースＧＳＤＢを備える。
【００２７】
以上のように構成された本発明による国際通話サービスシステムの作用について説明する。先ず、本発明の国際通話サービスシステムを実施するにあたり、日本国内のサービス提供者Ａはフィリピンの数あるＧＳＭ携帯電話キャリア会社のうち特定のキャリア会社ＧＴと無制限（アンリミテッド）独占契約を締結する。本発明による国際通話サービスを受けるには、通話をしたい相手がフィリピンのキャリア会社ＧＴのＧＳＭ携帯電話を所有していることが条件である。
【００２８】
日本国内の利用者Ｕ１、Ｕ２からフィリピンのキャリア会社ＧＴのＧＳＭ携帯電話利用者Ｕ３に電話をするには、日本国内の利用者が本発明による国際通話サービスを受けるため、サービス提供者Ａにサービス申し込みをしてサービス利用者番号を取得する。
【００２９】
ブロードバンドインターネット回線Ｂに接続された利用者Ｕ１（以下、ＦＰＡユーザー）の場合は、サービス申し込み時に認証ＩＤ、認証パスワード、ユーザー名が設定されたインターネットアダプタＦＰＡをブロードバンドインターネット回線Ｂに接続する。
【００３０】
ブロードバンドインターネット回線Ｂに接続されてない利用者Ｕ２（以下、ＡＰユーザー）の場合は、サービス申し込みをした後にアクセスポイントサービスを利用してアクセスポイントに接続する。
【００３１】
なお、サービス申し込みの際に、日本国内の利用者Ｕ１、Ｕ２からフィリピン側のＧＳＭ携帯電話利用者Ｕ３の通話可能な端末は、無制限（アンリミテッド）独占契約により台数が５台までに限定され、それらフィリピン側の電話番号をデータベースＪＳ１に登録する。
【００３２】
このＦＰＡユーザー、ＡＰユーザーの認証・登録動作を図２に示す認証・登録概念図を用いて説明する。
【００３３】
ＦＰＡユーザーの場合、インターネットアダプタＦＰＡから認証ＩＤ、認証パスワード、ユーザー名が発信され、ＡＰユーザーの場合、自身の電話番号が認証ＩＤとして発信され、それらの各情報を受信した認証サーバーＪＳ２は、それらの各情報がデータベースＪＳ１に格納されている情報と合致するか認証を行なう。
【００３４】
認証した結果が問題なければ、ＦＰＡユーザーの場合は、インターネットアダプタＦＰＡのＩＰアドレスがデータベースＪＳ１に登録される。ＡＰユーザーの場合は、自身の電話番号が登録済であるかが確認される。
【００３５】
次に認証・登録されたＦＰＡユーザー、ＡＰユーザーの発呼動作を図３に示す発呼概念図を用いて説明する。
【００３６】
ＦＰＡユーザーの場合は、登録されているフィリピン側の電話番号をダイヤルすると、認証・登録が済んだ後、発呼リクエストが呼制御サーバーＪＳ３へ送信される。呼制御サーバーＪＳ３は、ダイアルされた電話番号が申し込み時にデータベースＪＳ１に登録されたフィリピン側の電話番号と合致するかどうかを確認し、合致した場合はＲＴＰサーバーＪＳ４を経由するように発呼リクエストへヘッダーを追加してフィリピン側へ転送する。
【００３７】
ＡＰユーザーの場合は、アクセスポイントの電話番号をダイヤルし、アナウンスの後に登録されているフィリピン側の電話番号をダイヤルすると、認証サーバーＪＳ２で一旦認証を行ない、呼制御サーバーＪＳ３へ発呼リクエストを渡す。この際、呼制御サーバーＪＳ３はデータベースＪＳ１に登録されているサービス利用者番号へＡＰユーザーの電話番号を変換する。その後はＦＰＡユーザーの場合と同様に、ダイアルされた電話番号が申し込み時にデータベースＪＳ１に登録されたフィリピン側の電話番号と合致するかどうかを確認する。
【００３８】
次にフィリピン側の発呼処理動作を図４に示す発呼処理概念図を用いて説明する。高速インターネットを擁する日本側の端末Ｔ１、Ｔ２からの発呼リクエストはハイブリッド変換サーバーＦＳへ到着すると、呼制御変換モジュールＦＳ２にて、高速インターネットに適したプロトコルであるＳＩＰ（Session Initiation Protocol）から独占契約を締結したフィリピンのキャリア会社ＧＴの独自の規格に適した呼制御プロトコルであるＭＥＧＡＣＯ（media gateway control）へと変換され、負荷分散制御モジュールＦＳ１により監視された最適状況にあるVoIPゲートウェイＦＧを経由してＧＳＭ携帯電話の端末Ｔ３へ送信される。
【００３９】
次にフィリピン側ＧＳＭ携帯電話からのレスポンス処理動作を図５に示すレスポンス処理概念図を用いて説明する。日本側の端末Ｔ１、Ｔ２に対してＧＳＭ携帯電話の端末Ｔ３が呼を受けられない場合は、各種モジュールを連携させＧＳＭ携帯電話の端末状態を呼制御変換モジュールＦＳ２により独占契約を締結したフィリピンのキャリア会社ＧＴの独自の規格に適した呼制御プロトコルであるＭＥＧＡＣＯ（media gateway control）から再度高速インターネットに適したプロトコルであるＳＩＰ（Session Initiation Protocol）へ変換して音声プレゼンスモジュールＦＳ４及びＲＴＰリレーモジュールＦＳ３へと通知することによりＧＳＭ携帯電話の端末Ｔ３の状態を音声により直接日本側の端末Ｔ１、Ｔ２に通知することが可能になった。この際、ユーザー情報データベースＦＳ６へ返信通知する音声プレゼンの発呼結果を記録する。
【００４０】
ＧＳＭ携帯電話の端末Ｔ３が呼を受けられる場合は、各種モジュールを連携させ日本側の端末Ｔ１、Ｔ２からの音声及びＧＳＭ携帯電話の端末Ｔ３からの音声を同時に変換し日本側のＲＴＰサーバーＪＳ４、フィリピン側のＲＴＰリレーモジュールＦＳ３、VoIPゲートウェイＦＧを経由して通話を確立する。なお、呼制御変換モジュールＦＳ２は呼の確立及び切断時に動作し音声経由は行わない。
【００４１】
次に各データベースの連携動作を図６に示すデータベース連携概念図を用いて説明する。日本国内サーバー群ＪＳのデータベースＪＳ１は、認証情報、各ユーザーと関連するフィリピン側ユーザーの情報、各ユーザー毎の呼制御情報を格納し、サービス提供者Ａによる各ユーザー情報の変更等もこのデータベースＪＳ１の情報を変更することにより実現する。認証サーバーＪＳ２、呼制御サーバーＪＳ３はこのデータベースＪＳ１の情報を書き換えることはなく参照するだけである。
【００４２】
ハイブリッド変換サーバーＦＳのユーザー情報データベースＦＳ６は、日本国内サーバー群ＪＳのデータベースＪＳ１に変更が発生した場合にその変更情報が反映される。これは常時同期を行なう場合、日本、フィリピン間のネットワークに発生する負荷が大きくなってしまうことを回避するためである。
【００４３】
また、音声プレゼンスの結果をハイブリッド変換サーバーＦＳのユーザー情報データベースＦＳ６へ記録するのは、フィリピンから日本へ毎回データを送信していると負荷が大きくなってしまうことがあり、これは上述の理由とデータの流れる方向が反対であるが、まったく同じ理由である。
【００４４】
なお、日本国内サーバー群ＪＳから取得される記録は、発呼制御の記録であり、実際に通話が確立されていない可能性があるため、ハイブリッド変換サーバーＦＳのユーザー情報データベースＦＳ６の記録を確認することで正確な通話記録を得ることが可能である。
【００４５】
また、フィリピンＰＳＴＮ網内のＧＳＭユーザー情報データベースＧＳＤＢは独占契約を締結したフィリピンのキャリア会社ＧＴが管理しており、日本のサービス提供者Ａはハイブリッド変換サーバーＦＳのユーザー情報データベースＦＳ６からユーザー情報をＳＦＴＰ(Secure File Transfer Protocol)によりサービス開通前に独占契約を締結したフィリピンのキャリア会社ＧＴのミドルウェアサーバーＭＳへ送信する。ミドルウェアサーバーＭＳはその情報をチェックし、ＧＳＭユーザー情報データベースＧＳＤＢへの登録結果をＳＦＴＰ(Secure File Transfer Protocol)により返信する。
【００４６】
このＧＳＭユーザー情報データベースＧＳＤＢ内にサービス利用者番号とフィリピン内のＧＳＭ携帯電話番号が関連付けて保存されている間、ＦＰＡユーザーは通話が可能である。
【００４７】
日本国内サーバー群ＪＳ内のデータベースＪＳ１でも同じような登録があるが、これは不正利用を防ぐため及びフィリピン内のＧＳＭ携帯電話キャリア会社により遮断される無駄な通話が日本とフィリピン間のネットワークを使用してしまわないようにするために有効な手段である。
【００４８】
次にハイブリッド変換サーバーＦＳ内の各モジュールの構成を図７に示すモジュール概念図を用いて説明する。ハイブリッド変換サーバーＦＳ内の各モジュールは、フィリピンの国内事情を考慮し、故障時のハードウェア入手と日本からの発送に時間がかかることから、現地で調達したハードウェアに各モジュールをプラグインとしてインストールすることで、仕様の異なるハードウェアを複数柔軟に接続することが可能となっている。
【００４９】
これらのモジュールはそれぞれバックアップを複数用意可能であり、通常時は、負荷分散制御モジュールＦＳ１により複数の仕様の異なるハードウェア上にてそれぞれが最大効率にて稼働する。障害発生時は、制御モジュールＦＳ５の制御により、瞬時に稼働台数を減らしての縮退運転が可能となっている。各モジュールを制御する制御モジュールＦＳ５もまたモジュール化されており、制御モジュールＦＳ５のバックアップと相互に自動監視運用が行なわれている。制御モジュールＦＳ５のみは、負荷分散されておらず、縮退運転のみが可能である。
【００５０】
なお、以上の説明は、日本からフィリピンへの国際通話サービスシステムを例にして説明したが、日本とインターネット環境に差がある国であればフィリピンに限定する必要はない。
【００５１】
また、日本国内の将来を見据え、ブロードバンドインターネット回線Ｂを経由して無線ＬＡＮアクセスポイントに接続されたＳＩＰ端末を有する利用者Ｕ４に対しても本発明による国際通話サービスを適用することができる。
【００５２】
以上説明したように、本発明の国際通話サービスシステムによれば、インターネット環境に差がある新旧ネットワーク間に両ネットワークをハイブリッドに接続するハイブリッド変換サーバーを備えることにより安定した通話品質を提供することができる。
【図面の簡単な説明】
【００５３】
【図１】本発明の一実施形態による国際通話サービスシステムの構成を示すシステム構成図である。
【図２】本発明の認証・登録動作を示す認証・登録概念図である。
【図３】本発明の発呼動作を示す発呼概念図である。
【図４】本発明の発呼処理動作を示す発呼処理概念図である。
【図５】本発明のレスポンス処理動作を示すレスポンス処理概念図である。
【図６】本発明のデータベースの連携動作を示すデータベース連携概念図である。
【図７】本発明の各モジュールの構成を示すモジュール概念図である。
【符号の説明】
【００５４】
Ｔ１、Ｔ２・・・第１の端末
Ｊ・・・第１のネットワーク
ＦＰＡ・・・インターネットアダプタ
Ｔ３・・・第２の端末
Ｆ・・・第２のネットワーク
Ｎ・・・インターネット
Ｂ・・・高速インターネット
ＦＳ・・・ハイブリッド変換サーバー
ＦＳ１・・・負荷分散制御モジュール
ＦＳ２・・・呼制御変換モジュール
ＦＳ３・・・ＲＴＰリレーモジュール
ＦＳ４・・・音声プレゼンスモジュール
ＦＳ５・・・制御モジュール
ＦＳ６・・・ユーザー情報データベース
【図１】
2008160234.tif 000003
【図２】
2008160234.tif 000004
【図３】
2008160234.tif 000005
【図４】
2008160234.tif 000006
【図５】
2008160234.tif 000007
【図６】
2008160234.tif 000008
【図７】
2008160234.tif 000009